(57)【要約】      （修正有）【課題】意匠性に優れる照明装置を提供すること。【解決手段】照明装置は導光体１、第１光源８１、第２光源８２を備える。導光体１の裏面３は反射面及び非反射面を有し、導光体１の表面２を前面と設置された際には、第１領域３１の第１進行方向７１に対する第１反射面の交差角θ、及び、裏面３の第２領域３２の第２進行方向７２に対する第２反射面の交差角θは、各々３０°〜６０°の範囲内であり、第１進行方向７１に対する第１非反射面の交差角θ、及び、第２進行方向７２に対する第２非反射面の交差角θは、各々９０°〜１３０°の範囲内である。光量制御装置８９により、第１光源８１と第２光源８２の輝度が時間により異なるように制御する。導光体１の表面２を前面に対して傾けて設置する際には、上記交差角の範囲を変更する。【選択図】図１
2019179685.tif 000002
【特許請求の範囲】
【請求項１】
長手方向の一端部である第１端部と、前記長手方向の他端部である第２端部と、設置時に前側に配置される表面と、前記表面に背向する裏面と、を有する導光体と、
前記第１端部に光を照射する第１光源と、
前記第２端部に光を照射する第２光源と、
前記第１光源及び前記第２光源の点灯期間の少なくとも一部において、前記第１光源と前記第２光源の輝度が異なるよう、前記第１光源及び前記第２光源の出力を制御する光量制御装置と、を有し、
前記表面は平滑面状をなし、
前記裏面は、前記第１端部側に位置する第１領域と、前記第２端部側に位置する第２領域と、を有し、
前記第１領域は、前記第１端部から前記第２端部に向けた光の第１進行方向に対して交差する第１反射面と、前記第１進行方向に対して前記第１反射面の交差角よりも大きな角度で交差する第１非反射面と、が交互に連続する凹凸形状を有し、
前記第２領域は、前記第２端部から前記第１端部に向けた光の第２進行方向に対して交差する第２反射面と、前記第２進行方向に対して前記第２反射面の交差角よりも大きな角度で交差する第２非反射面と、が交互に連続する凹凸形状を有し、
更に、以下の要件（１）〜（３）の何れかを満たす、車両用照明装置。
（１）
前記導光体の想定設置方向は、前記長手方向を前後方向に直交させる正方向であり、
前記第１進行方向に対する前記第１反射面の交差角θ１Ｒ、及び、前記第２進行方向に対する前記第２反射面の交差角θ２Ｒは、各々３０°〜６０°の範囲内であり、
前記第１進行方向に対する前記第１非反射面の交差角θ１Ｎ、及び、前記第２進行方向に対する前記第２非反射面の交差角θ２Ｎは、各々９０°〜１３０°の範囲内である。
（２）
前記導光体の想定設置方向は、前記第１端部を前記第２端部よりも後側に位置させる第１傾斜方向であり、
前記表面は、前後方向に直交する正面方向に対し、交差角θ０で交差し、
前記第１進行方向に対する前記第１反射面の交差角θ１Ｒは（５０−θ０）°〜（８０−θ０）°の範囲内、
前記第２進行方向に対する前記第２反射面の交差角θ２Ｒは（１０＋θ０）°〜（５０＋θ０）°の範囲内、
前記第１進行方向に対する前記第１非反射面の交差角θ１Ｎは８０°〜（１６０−θ０）°の範囲内、及び、
前記第２進行方向に対する前記第２非反射面の交差角θ２Ｎは８０°〜（１２０＋θ０）°の範囲内である。
（３）
前記導光体の想定設置方向は、前記第２端部を前記第１端部よりも後側に位置させる第２傾斜方向であり、
前記表面は、前後方向に直交する正面方向に対し、交差角θ０で交差し、
前記第２進行方向に対する前記第２反射面の交差角θ２Ｒは（５０−θ０）°〜（８０−θ０）°の範囲内、
前記第１進行方向に対する前記第１反射面の交差角θ１Ｒは（１０＋θ０）°〜（５０＋θ０）°の範囲内、
前記第２進行方向に対する前記第２非反射面の交差角θ２Ｎは８０°〜（１６０−θ０）°の範囲内、及び、
前記第１進行方向に対する前記第１非反射面の交差角θ１Ｎは８０°〜（１２０＋θ０）°の範囲内である。
【請求項２】
前記導光体の厚さは、前記長手方向の中央部において、前記第１端部側及び前記第２端部側の部分よりも薄い、請求項１に記載の照明装置。
【請求項３】
前記要件（１）において、
前記交差角θ１Ｒ及び前記交差角θ２Ｒは各々４０°〜５０°の範囲内であり、
前記交差角θ１Ｎ及び前記交差角θ２Ｎは各々９０°〜１３０°の範囲内である、請求項１又は請求項２に記載の照明装置。
【請求項４】
前記要件（２）において、
前記交差角θ１Ｒは５°〜４０°の範囲内、
前記交差角θ２Ｒは５０°〜９０°の範囲内、
前記交差角θ１Ｎは８０°〜１２０°の範囲内、及び、
前記交差角θ２Ｎは１１０°〜１７０°の範囲内である、請求項１又は請求項２に記載の照明装置。
【請求項５】
前記要件（３）において、
前記交差角θ２Ｒは５°〜４０°の範囲内、
前記交差角θ１Ｒは５０°〜９０°の範囲内、
前記交差角θ２Ｎは８０°〜１２０°の範囲内、及び、
前記交差角θ１Ｎは１１０°〜１７０°の範囲内である請求項１又は請求項２に記載の照明装置。
【発明の詳細な説明】
【技術分野】
【０００１】
本発明は、光源と導光体とを有する照明装置に関する。
【背景技術】
【０００２】
例えば車両用の照明装置として、多数の光源を配列させたものが知られている。例えば、特許文献１及び特許文献２に紹介される照明装置においては、光源をその配列方向に沿って順次点灯しまた順次消灯することで、当該光源の配列方向に沿って光が移動するように見える。この種の照明装置は、例えば、ターンランプや車室内用のイルミネーションとして有用であると考えられる。
しかしその一方で、この種の照明装置は、優れた意匠を表示できるものの、多数の光源を必要とし、かつ、当該多数の光源の各々につき独立して点灯及び消灯を制御する必要があるため、安価に製造し難い問題がある。
【０００３】
多数の光源に代えて、導光体を用いる技術も提案されている。特許文献３には、導光体の長手方向の一端部に光源３Ａを配置し、他端部に光源３Ｂを配置する技術が開示されている。当該文献には、一方の光源３Ａを点灯させた後に他方の光源３Ｂを点灯させ、他方の光源３Ｂを点灯させた後に一方の光源３Ａを消灯させ、更に一方の光源３Ａを消灯させた後に他方の光源３Ｂを消灯させる旨が開示されている。このような点灯及び消灯の制御を行うことで、先ず導光体の長手方向の一方の端部側だけが明るく光り、次いで導光体の長手方向の全長が明るく光り、その後導光体の他方の端部側だけが明るく光り、最後に導光体の長手方向の全長が暗くなる。したがって、この種の照明装置では、導光体の長手方向の一端側から他端側に向けて光が移動するように見える。
【０００４】
導光体を用いた照明装置によると、少数の光源で光の移動を表現できるため、照明装置のコストを低減できる利点がある。しかし、近年では、照明装置に多様な意匠が要求されており、照明装置の意匠性を更に向上させ得る技術の開発が望まれている。
【先行技術文献】
【特許文献】
【０００５】
【特許文献１】特開２０１２−９６５６４号公報
【特許文献２】特開２０１２−１７０６３号公報
【特許文献３】特許第６０９１０９６号公報
【発明の概要】
【発明が解決しようとする課題】
【０００６】
本発明は上記事情に鑑みてなされたものであり、意匠性に優れる照明装置を提供することを目的とする。
【課題を解決するための手段】
【０００７】
上記課題を解決する本発明の照明装置は、
長手方向の一端部である第１端部と、前記長手方向の他端部である第２端部と、設置時に前側に配置される表面と、前記表面に背向する裏面と、を有する導光体と、
前記第１端部に光を照射する第１光源と、
前記第２端部に光を照射する第２光源と、
前記第１光源及び前記第２光源の点灯期間の少なくとも一部において、前記第１光源と前記第２光源の輝度が異なるよう、前記第１光源及び前記第２光源の出力を制御する光量制御装置と、を有し、
前記表面は平滑面状をなし、
前記裏面は、前記第１端部側に位置する第１領域と、前記第２端部側に位置する第２領域と、を有し、
前記第１領域は、前記第１端部から前記第２端部に向けた光の第１進行方向に対して交差する第１反射面と、前記第１進行方向に対して前記第１反射面の交差角よりも大きな角度で交差する第１非反射面と、が交互に連続する凹凸形状を有し、
前記第２領域は、前記第２端部から前記第１端部に向けた光の第２進行方向に対して交差する第２反射面と、前記第２進行方向に対して前記第２反射面の交差角よりも大きな角度で交差する第２非反射面と、が交互に連続する凹凸形状を有し、
更に、以下の要件（１）〜（３）の何れかを満たす、車両用照明装置である。
（１）
前記導光体の想定設置方向は、前記長手方向を前後方向に直交させる正方向であり、
前記第１進行方向に対する前記第１反射面の交差角θ１Ｒ、及び、前記第２進行方向に対する前記第２反射面の交差角θ２Ｒは、各々３０°〜６０°の範囲内であり、
前記第１進行方向に対する前記第１非反射面の交差角θ１Ｎ、及び、前記第２進行方向に対する前記第２非反射面の交差角θ２Ｎは、各々９０°〜１３０°の範囲内である。
（２）
前記導光体の想定設置方向は、前記第１端部を前記第２端部よりも後側に位置させる第１傾斜方向であり、
前記表面は、前後方向に直交する正面方向に対し、交差角θ０で交差し、
前記第１進行方向に対する前記第１反射面の交差角θ１Ｒは（５０−θ０）°〜（８０−θ０）°の範囲内、
前記第２進行方向に対する前記第２反射面の交差角θ２Ｒは（１０＋θ０）°〜（５０＋θ０）°の範囲内、
前記第１進行方向に対する前記第１非反射面の交差角θ１Ｎは８０°〜（１６０−θ０）°の範囲内、及び、
前記第２進行方向に対する前記第２非反射面の交差角θ２Ｎは８０°〜（１２０＋θ０）°の範囲内である。
（３）
前記導光体の想定設置方向は、前記第２端部を前記第１端部よりも後側に位置させる第２傾斜方向であり、
前記表面は、前後方向に直交する正面方向に対し、交差角θ０で交差し、
前記第２進行方向に対する前記第２反射面の交差角θ２Ｒは（５０−θ０）°〜（８０−θ０）°の範囲内、
前記第１進行方向に対する前記第１反射面の交差角θ１Ｒは（１０＋θ０）°〜（５０＋θ０）°の範囲内、
前記第２進行方向に対する前記第２非反射面の交差角θ２Ｎは８０°〜（１６０−θ０）°の範囲内、及び、
前記第１進行方向に対する前記第１非反射面の交差角θ１Ｎは８０°〜（１２０＋θ０）°の範囲内である。
【発明の効果】
【０００８】
本発明の照明装置は意匠性に優れる。
【図面の簡単な説明】
【０００９】
【図１】実施例１の照明装置を模式的に表す説明図である。
【図２】実施例１の照明装置における導光体を模式的に表す説明図である。
【図３】実施例１の照明装置における第１光源及び第２光源の制御を説明する説明図である。
【図４】実施例２の照明装置における導光体を模式的に表す説明図である。
【図５】実施例３の照明装置における導光体を模式的に表す説明図である。
【図６】実施例４の照明装置における導光体を模式的に表す説明図である。
【図７】図６の要部拡大図である。
【発明を実施するための形態】
【００１０】
本発明の照明装置は、導光体、第１光源及び第２光源を有する。
【００１１】
導光体は長手方向を有する長尺形状であれば良く、その断面形状は特に限定しない。例えば、長手方向に直交する導光体の断面は、矩形であっても良いし、円形であっても良いし、その他の形状であっても良い。本明細書においては、特に説明のない場合、当該長手方向に直交する導光体の断面を、単に、導光体の断面と略する。導光体の断面は、導光体の長手方向に沿って一定であっても良いし、そうでなくても良い。
導光体は、光を透過させる必要上、透明又は半透明な材料で構成されるのが良い。導光体は、可撓性を有しても良いし、剛体であっても良い。導光体の具体的な材料としては、フッ素樹脂、ポリメチルメタクリレート（ＰＭＭＡ）樹脂、ポリカーボネート（ＰＣ）樹脂、環状ポリオレフィン（ＣＯＰ）樹脂、アクリル樹脂、ガラス材料等が例示される。
【００１２】
導光体は、第１端部、第２端部、表面及び裏面を有する。第１端部は導光体における長手方向の一端部であり、第２端部は導光体における長手方向の他端部である。つまり、本発明の導光体の長手方向は、第１端部−第２端部方向と一致する。導光体の長手方向は、導光体の軸線方向と言い換えることもできる。導光体は直状であっても良いし、湾曲又は屈曲していても良い。したがって、導光体の長手方向は直線状であっても良いし、曲線状であっても良いし、屈曲していても良い。
【００１３】
第１端部には第１光源の光が照射され、第２端部には第２光源からの光が照射される。第１端部に照射され導光体に入射した光は、導光体の内部で反射しつつ、全体としては、第１端部から第２端部に向けて進行する。本明細書においては、この第１端部から第２端部に向けた光の進行方向を第１進行方向と称する。当該第１進行方向は、第１端部から第２端部に向けた導光体の軸線方向と読み替えることもできる。
一方、第２端部に照射され導光体に入射した光は、導光体の内部で反射しつつ、全体としては、第２端部から第１端部に向けて進行する。本明細書においては、この第２端部から第１端部に向けた光の進行方向を第２進行方向と称する。当該第２進行方向は、第２端部から第１端部に向けた導光体の軸線方向と読み替えることもできる。
【００１４】
導光体の表面と裏面とは互いに背向する。導光体は、表面を前側に向け、裏面を後側に向けて設置される。ここでいう前側とは、照明装置を用いて光による意匠を表示することを意図した側であり、照明装置のうち人から視認される側である。逆に、照明装置の後側は人から視認されない側である。なお、本明細書において前後方向とは、上記した前側と後側とをむすぶ方向を意味する。
後述するように、裏面は凹凸形状を有し、表面は平滑面である。したがって、裏面は導光体に入射した光を反射する反射面としての機能を有し、表面は裏面で反射された光を出射する出射面としての機能を有する。なお、表面は平滑面であれば良く、平面であっても良いし曲面であっても良い。本明細書において、平滑面とは、表面粗さＲａが１０μｍ以下であることを意味する。
【００１５】
裏面は、第１端部側に位置する第１領域と、第２端部側に位置する第２領域と、を有する。第１領域は導光体の裏面のうち第１光源側に位置する部分であり、第２領域は導光体の裏面のうち第２光源側に位置する部分である、ということもできる。
【００１６】
このうち第１領域は、第１反射面と第１非反射面とが交互に連続する凹凸形状を有する。第１反射面及び第２反射面は、第１端部から第２端部に向けた光の進行方向、つまり既述した光の第１進行方向に対して交差する面である。第１進行方向に対する第１非反射面の交差角は、第１進行方向に対する第１反射面の交差角よりも大きな角度である。したがって、第１反射面は、導光体中を第１進行方向に進む光を、前側、より具体的には導光体の表面側に向けて反射させる機能を有する。一方、第１非反射面は、導光体中を第１進行方向に進む光に対して干渉し難い方向を向くといえる。したがって、導光体中を第１進行方向に進む光の大部分は、第１反射面に反射し、表面を経て導光体の前側に出射する。
なお、第１進行方向に対する第１反射面の交差角は９０°以下であるのが好ましく、鋭角であるのがより好ましい。第１進行方向に対する第１非反射面の交差角は８０°以上であるのが好ましく、鈍角であるのがより好ましい。
【００１７】
第２領域は、第２反射面と第２非反射面とが交互に連続する凹凸形状を有する。第２反射面及び第２非反射面は、第２端部から第１端部に向けた光の進行方向、つまり既述した光の第２進行方向に対して交差する面である。第２進行方向に対する第２非反射面の交差角は、第２進行方向に対する第２反射面の交差角よりも大きな角度である。したがって、第２反射面は、導光体中を第２進行方向に進む光を、前側、より具体的には導光体の表面側に向けて反射させる機能を有する。一方、第２非反射面は、導光体中を第２進行方向に進む光に干渉し難い。したがって、導光体中を第２進行方向に進む光の大部分は、第２反射面に反射し、表面を経て導光体の前側に出射する。
なお、第２進行方向に対する第２反射面の交差角は９０°以下であるのが好ましく、鋭角であるのがより好ましい。第２進行方向に対する第２非反射面の交差角は８０°以上であるのが好ましく、鈍角であるのがより好ましい。
【００１８】
本発明の照明装置は、以下の要件（１）〜（３）の何れかを満たす。
（１）
前記導光体の想定設置方向は、前記長手方向を前後方向に直交させる正方向であり、
前記第１進行方向に対する前記第１反射面の交差角θ１Ｒ、及び、前記第２進行方向に対する前記第２反射面の交差角θ２Ｒは、各々３０°〜６０°の範囲内であり、
前記第１進行方向に対する前記第１非反射面の交差角θ１Ｎ、及び、前記第２進行方向に対する前記第２非反射面の交差角θ２Ｎは、各々９０°〜１３０°の範囲内である。
（２）
前記導光体の想定設置方向は、前記第１端部を前記第２端部よりも後側に位置させる第１傾斜方向であり、
前記表面は、前後方向に直交する正面方向に対し、交差角θ０で交差し、
前記第１進行方向に対する前記第１反射面の交差角θ１Ｒは（５０−θ０）°〜（８０−θ０）°の範囲内、
前記第２進行方向に対する前記第２反射面の交差角θ２Ｒは（１０＋θ０）°〜（５０＋θ０）°の範囲内、
前記第１進行方向に対する前記第１非反射面の交差角θ１Ｎは８０°〜（１６０−θ０）°の範囲内、及び、
前記第２進行方向に対する前記第２非反射面の交差角θ２Ｎは８０°〜（１２０＋θ０）°の範囲内である。
（３）
前記導光体の想定設置方向は、前記第２端部を前記第１端部よりも後側に位置させる第２傾斜方向であり、
前記表面は、前後方向に直交する正面方向に対し、交差角θ０で交差し、
前記第２進行方向に対する前記第２反射面の交差角θ２Ｒは（５０−θ０）°〜（８０−θ０）°の範囲内、
前記第１進行方向に対する前記第１反射面の交差角θ１Ｒは（１０＋θ０）°〜（５０＋θ０）°の範囲内、
前記第２進行方向に対する前記第２非反射面の交差角θ２Ｎは８０°〜（１６０−θ０）°の範囲内、及び、
前記第１進行方向に対する前記第１非反射面の交差角θ１Ｎは８０°〜（１２０＋θ０）°の範囲内である。
【００１９】
上記要件（１）は、本発明の照明装置における導光体の想定設置方向が、長手方向を前後方向に直交させる正方向である場合に関する。また、上記要件（２）は、導光体の想定設置方向が、第１端部を第２端部よりも後側に位置させる第１傾斜方向である場合に関する。更に、上記要件（３）は、導光体の想定設置方向が、第２端部を第１端部よりも後側に位置させる第２傾斜方向である場合に関する。
【００２０】
既述したように、第１進行方向に進む光は、第１反射面に反射し表面を経て導光体の前側に出射する。また、第２進行方向に進む光は、第２反射面に反射し表面を経て導光体の前側に出射する。したがって、第１進行方向に対する第１反射面の交差角θ１Ｒ及び第２進行方向に対する第２反射面の交差角θ２Ｒは、光の反射方向ひいては導光体から出射する光の方向に大きく関与する。
【００２１】
ここで、導光体は表面を前側に裏面を後側に向けて設置されることを想定されているが、導光体の表面−裏面方向は、必ずしも前後方向と一致する必要はない。言い換えると、導光体の長手方向は、前後方向に対して直交する方向であっても良いし、前後方向に対して傾斜する方向であっても良い。更に表現を変えると、導光体は、表面がまっすぐに前を向くように設置されても良いし、表面が斜め前を向くように設置されても良い。したがって、本発明の照明装置における導光体の想定設置方向としては、上記要件（１）の正方向、上記要件（２）の第１傾斜方向、及び、上記要件（３）の第２傾斜方向の３通りが考えられる。
【００２２】
照明装置によって鮮明な意匠を表示するためには、導光体からの出射光を、照明装置を見る人に向ける必要がある。本発明の照明装置では、照明装置の前側にいる人に向けて意匠を表示することを想定しているため、導光体からの出射光が前側を向くよう、裏面は光を反射させる必要がある。そうすると、導光体の想定設置方向が（１）正方向である場合と、（２）第１傾斜方向である場合と、（３）第２傾斜方向である場合とでは、第１進行方向に対する第１反射面の交差角θ１Ｒ、第２進行方向に対する第２反射面の交差角θ２Ｒ、第１進行方向に対する第１非反射面の交差角θ１Ｎ、及び、第２進行方向に対する第２非反射面の交差角θ２Ｎの好適な大きさは異なると考えられる。
本発明の照明装置では、導光体の想定設置方向を（１）正方向、（２）第１傾斜方向、（３）第２傾斜方向の３通りに場合分けして、各々、交差角θ１Ｒ、交差角θ２Ｒ、交差角θ１Ｎ、及び、交差角θ２Ｎの範囲を設定することで、導光体の想定設置方向を問わず、優れた意匠を表示できる。
【００２３】
また、本発明の照明装置においては、交差角θ１Ｒ、交差角θ２Ｒ、交差角θ１Ｎ、及び、交差角θ２Ｎの範囲を、上記の各範囲に設定することで、第１反射面及び第２反射面からの反射光を、照明装置の前側に向けることができる。したがって本発明の照明装置はより優れた意匠を表示し得る。
【００２４】
交差角θ１Ｒ、交差角θ２Ｒ、交差角θ１Ｎ、及び、交差角θ２Ｎの範囲は、以下のように設定されるのが好ましい。
【００２５】
本発明の照明装置が要件（１）を満たす場合には、交差角θ１Ｒ及び交差角θ２Ｒは各々４０°〜５０°の範囲内であり、交差角θ１Ｎ及び交差角θ２Ｎは各々９０°〜１３０°の範囲内であるのが好ましい。交差角θ１Ｒ及び交差角θ２Ｒは各々４２°〜４８°の範囲内であり、交差角θ１Ｎ及び交差角θ２Ｎは各々９５°〜１２０°の範囲内であるのがより好ましい。
特に、交差角θ１Ｒ及び交差角θ２Ｒが各々４０°〜５０°の範囲内である場合には、第１光源及び第２光源を同時に点灯した時に導光体を長手方向に一体的に光らせるのに有利である。
【００２６】
本発明の照明装置が要件（２）を満たす場合には、交差角θ１Ｒは５°〜４０°の範囲内、交差角θ２Ｒは５０°〜９０°の範囲内、交差角θ１Ｎは８０°〜１２０°の範囲内、及び、交差角θ２Ｎは１１０°〜１７０°の範囲内であるのが好ましい。交差角θ１Ｒは５°〜３５°の範囲内、交差角θ２Ｒは５５°〜８５°の範囲内、交差角θ１Ｎは８５°〜１１０°の範囲内、及び、交差角θ２Ｎは１１５°〜１６５°の範囲内であるのがより好ましい。
特に、交差角θ１Ｒが５°〜４０°の範囲内でありかつ交差角θ２Ｒが５０°〜９０°の範囲内である場合には、第１光源及び第２光源を同時に点灯した時に導光体を長手方向に一体的に光らせるのに有利である。
また、交差角θ１Ｒを５°〜４０°の範囲内とする場合には、導光体を第１進行方向に進む光を前側に反射させるのに有利である。したがって、導光体が第１傾斜方向に設置される場合、つまり、導光体が照明装置の前側にいる人に対して傾いて設置される場合にも、照明装置の前側にいる人に到達する光の量を大きくできる。
【００２７】
本発明の照明装置が要件（３）を満たす場合には、交差角θ２Ｒは５°〜４０°の範囲内、交差角θ１Ｒは５０°〜９０°の範囲内、交差角θ２Ｎは８０°〜１２０°の範囲内、及び、交差角θ１Ｎは１１０°〜１７０°の範囲内であるのが好ましい。交差角θ２Ｒは５°〜３５°の範囲内、交差角θ１Ｒは５５°〜８５°の範囲内、交差角θ２Ｎは８５°〜１１０°の範囲内、及び、交差角θ１Ｎは１１５°〜１６５°の範囲内であるのがより好ましい。
特に、交差角θ２Ｒが５°〜４０°の範囲内でありかつ交差角θ１Ｒが５０°〜９０°の範囲内である場合には、第１光源及び第２光源を同時に点灯した時に導光体を長手方向に一体的に光らせるのに有利である。
また、交差角θ２Ｒを５°〜４０°の範囲内とする場合には、導光体を第２進行方向に進む光を前側に反射させるのに有利である。したがって、導光体が第２傾斜方向、すなわち、照明装置の前側にいる人に対して傾いて設置される場合にも、照明装置の前側にいる人に到達する光の量を大きくできる。
【００２８】
本発明の照明装置において導光体の厚さすなわち導光体における表面−裏面方向の長さは導光体の長手方向に向けて一定であっても良いし、部分毎に異なっていても良い。
ところで、導光体における長手方向の中央部は、光量が不足し易い部分であり、当該中央部は端部に比べて暗く見える場合がある。以下、必要に応じて、導光体における長手方向の中央部を、単に導光体の中央部と称する。
導光体の厚さが、導光体の中央部において、第１端部側及び第２端部側の部分よりも薄い場合には、当該導光体の中央部に供給される光の密度が高まる。このため、この場合には、導光体の中央部をより明るく光らせ得る利点がある。
【００２９】
導光体の厚さを、導光体の中央部において、第１端部側及び第２端部側の部分よりも薄くする場合、導光体における中央部の厚さ、第１端部側の部分の厚さ、及び、第２端部側の部分の厚さは適宜設定すれば良いが、導光体における中央部の厚さを、第１端部の厚さ、及び、第２端部の厚さの９５％〜４５％とすることで、導光体の中央部に供給される光の密度を効果的に高め得る。導光体における中央部の厚さは、第１端部の厚さ、及び、第２端部の厚さの９０％〜５０％であるのがより好ましく、８０％〜６０％であるのが更に好ましい。
特に、導光体における中央部の厚さを、第１端部の厚さ、及び、第２端部の厚さの９０％〜５０％とする場合には、第１光源及び第２光源を同時に点灯した時に導光体の中央部が、第１端部及び第２端部と同程度にまで明るくなり、導光体の明るさが長手方向に均一になる。つまり、この場合には導光体が長手方向に一体的に光っているように見える。
【００３０】
導光体の長手方向における上記の中央部の長さは特に問わないが、本発明の照明装置における導光体は、第１端部の厚さ、及び、第２端部の厚さの９５％〜４５％となる中央部を、導光体の長手方向の全長の１／１０以上の長さとするのが好ましく、１／５以上の長さとするのがより好ましく、１／３以上の長さとするのが特に好ましい。
【００３１】
本発明の照明装置に優れた意匠性を付与する為には、導光体を長手方向に均一に光らせるのが好ましいと考えられる。導光体を長手方向に均一に光らせるためには、隣り合う第１反射面の間隔、隣り合う第１非反射面の間隔、隣り合う第２反射面の間隔、及び、隣り合う第２非反射面の間隔を適切な範囲にするのが好ましいと考えられる。
具体的には、隣り合う第１反射面の間隔は、０ｍｍを超え２ｍｍ以下であるのが好ましく、０ｍｍを超え１ｍｍ以下であるのがより好ましく、０ｍｍを超え０．５ｍｍ以下であるのが特に好ましい。また、隣り合う第１非反射面の間隔は０ｍｍを超え２ｍｍ以下であるのが好ましく、０ｍｍを超え１ｍｍ以下であるのがより好ましく、０ｍｍを超え０．５ｍｍ以下であるのが特に好ましい。更に、隣り合う第２反射面の間隔は０ｍｍを超え２ｍｍ以下であるのが好ましく、０ｍｍを超え１ｍｍ以下であるのがより好ましく、０ｍｍを超え０．５ｍｍ以下であるのが特に好ましい。隣り合う第２非反射面の間隔は０ｍｍを超え２ｍｍ以下であるのが好ましく、０ｍｍを超え１ｍｍ以下であるのがより好ましく、０ｍｍを超え０．５ｍｍ以下であるのが特に好ましい。
隣り合う第１反射面の間隔及び／又は隣り合う第１非反射面の間隔が上記の何れかの範囲内であれば、導光体を第１進行方向に進む光を比較的短い間隔で前側に向けて反射させることができ、導光体における第１端部側の部分における輝度を、長手方向に均一化するのに有利である。同様に、隣り合う第２反射面の間隔及び／又は隣り合う第２非反射面の間隔が上記の何れかの範囲内であれば、導光体を第２進行方向に進む光を比較的短い間隔で前側に向けて反射させることができ、導光体における第２端部側の部分における輝度を、長手方向に均一化するのに有利である。
【００３２】
導光体の裏面の凹凸高さは、第１反射面、第１非反射面、第２反射面及び第２非反射面の角度、隣り合う第１反射面の間隔及び／又は隣り合う第１非反射面の間隔、並びに、隣り合う第２反射面の間隔及び／又は隣り合う第２非反射面の間隔に応じて決定されるが、例えば０．１ｍｍ〜４ｍｍの範囲内であるのが好ましく、０．５ｍｍ〜３．５ｍｍの範囲内であるのがより好ましく、１ｍｍ〜３ｍｍの範囲内であるのが更に好ましい。
なお、導光体の裏面の凹凸高さとは、第１反射面、第１非反射面、第２反射面及び第２非反射面における裏面側の頂部と第１反射面、第１非反射面、第２反射面及び第２非反射面における表面側の頂部と、の距離を意味する。
【００３３】
本発明の照明装置では、第１光源及び第２光源の点灯期間の少なくとも一部において、第１光源と第２光源の輝度が異なるよう、光量制御装置によって第１光源及び第２光源の出力を制御する。第１光源及び第２光源は、各々、導光体における長手方向の両端部に配置されているため、こうすることで、導光体における第１端部側の部分と第２端部側の部分とを異なる明るさにできる。更に発展させて、光量制御装置によって第１光源及び第２光源の出力を適宜適切に制御することで、導光体の第１端部又は第２端部から他方に向けて光が移動するように見せることもできる。
以下、必要に応じて、導光体における第１端部側の部分を導光体の第１部分と称し、導光体における第２端部側の部分を導光体の第２部分と称する。
【００３４】
例えば、先ず第１光源の輝度を所定値にまで徐々に上昇させ、次いで、第２光源の輝度を上記の所定値にまで徐々に上昇させつつ、第１光源の輝度を徐々に低下させる場合には、先ず導光体の第１部分が明るく光り、次いで第１部分に交代して第２部分が明るく光る。したがって、導光体の第１部分から第２部分に向けて光が移動するように見える。つまり、このような光の制御を行い得る本発明の照明装置は、優れた意匠を表示できる。
【００３５】
なお、本発明の照明装置において、光量制御装置による第１光源及び第２光源の輝度の制御は、上記した方法に限定されない。例えば、単に第１光源及び第２光源の点灯、消灯を切り替えるだけでも良い。更に、光量制御装置は、第１光源及び第２光源の点灯期間の少なくとも一部において、第１光源と第２光源の輝度が異なるよう、第１光源及び第２光源の出力を制御できるものであれば良く、既知の装置を用い得る。例えば、本発明の照明装置を自動車の内装品や燈体として用いる場合には、自動車のＥＣＵ（Ｅｌｅｃｔｒｏｎｉｃ  Ｃｏｎｔｒｏｌ  Ｕｎｉｔ）を光量制御装置として用いても良い。或いは、本発明の照明装置専用の光量制御装置を別途準備しても良い。
【００３６】
導光体の第１部分から第２部分に向けて光が移動するように見えるようにするためには、導光体の長手方向の長さを大きくするのが良い。具体的には、導光体の長手方向の長さは、２００ｍｍ以上であるのが好ましく、２５０ｍｍ以上であるのがより好ましく、３００ｍｍ以上であるのが特に好ましい。また、導光体に供給される光の密度を高めて導光体を明るく光らせるためには、導光体の厚さを薄くするのが良い。具体的には、導光体の厚さは１５ｍｍ以下であるのが好ましく、１２ｍｍ以下であるのがより好ましく、１０ｍｍ以下であるのが特に好ましい。
【００３７】
以下、具体例を挙げて本発明の照明装置を説明する。
【００３８】
（実施例１）
実施例１の照明装置は、本発明の照明装置を自動車のターンランプとして具現化したものである。実施例１の照明装置は、車両進行方向を前側として、車両の右側及び左側に各々１つずつ設置される。導光体の想定設置方向は、長手方向を前後方向に直交させる正方向である。なお、右側に設置される実施例１の照明装置、及び、左側に設置される実施例１の照明装置は、同じものである。
【００３９】
図１は実施例１の照明装置を模式的に表す説明図であり、図２は実施例１の照明装置における導光体を模式的に表す説明図である。図３は実施例１の照明装置における第１光源及び第２光源の制御を説明する説明図である。
以下、長手方向、後側及び前側とは、図１に示す長手方向、後側及び前側を意味する。導光体の軸線方向は、長手方向に一致する。
【００４０】
図１に示すように、実施例１の照明装置は、導光体１、第１光源８１、第２光源８２、反射板８５、ケース８６及び光量制御装置８９を有する。このうち導光体１、第１光源８１、第２光源８２及び反射板８５は、ケース８６の内部に収容され、光量制御装置８９はケース８６の外部に配置されている。ケース８６は、不透明なアクリロニトリル−ブタジエン−スチレン（ＡＢＳ）樹脂で構成された箱状の収容部８７と、透明なアクリル樹脂で構成された透過部８８と、を有し、収容部８７を後側に向け透過部８８を前側に向ける。
なお、光量制御装置８９はケース８６の内部に配置しても良いし、ケース８６の収容部８７の材料は、上記のＡＢＳに限定されず、アクリロニトリル−エチレン−プロピレン−ジエン−スチレン（ＡＥＳ）樹脂、アクリロニトリル−スチレン−アクリル酸エステル（ＡＳＡ）樹脂、ＰＣ樹脂、ポリブチレンテレフタレート−ポリエチレンテレフタレート（ＰＢＴ−ＰＥＴ）樹脂等を用い得る。また、透過部８８の材料は上記のアクリル樹脂に限定されず、その他、透明ＰＣ等を用い得る。
【００４１】
導光体１は、表面２を透過部８８側つまり前側に向け、裏面３を収容部８７側つまり後側に向けて、ケース８６の内部に収容される。導光体１の長手方向の両端部、つまり、第１端部１１及び第２端部１２は、各々、不透明な収容部８７によって隠され、前側からは視認され難い。導光体１は透明なアクリル樹脂製であり、断面円形の柱状をなす。導光体１の表面２は平滑面であり、裏面３には後述するように凹凸形状が形成されている。
反射板８５はＰＣ製であり、導光体１の裏面３を更に後側から覆い、導光体１とともにケース８６の内部に収容されている。なお、反射板８５はこれに限らず、導光体１と一体に設けても良い。例えば、導光体１の裏面３に塗工形成した反射層を反射板８５としても良い。
なお、反射板８５の材料はＰＣに限定されず、例えばＡＢＳ等を使用しても良い。導光体１を構成し得るその他の材料については既述したとおりである。
【００４２】
第１光源８１は、導光体１における第１端部１１側の端面である第１端面１１ｅに対面する。また、第２光源８２は、導光体１における第２端部１２側の端面である第２端面１２ｅに対面する。第１光源８１及び第２光源８２は、各々ＬＥＤ製であり、図略の電源に電気的に接続されている。第１光源８１及び第２光源８２は、導光体１の第１端部１１及び第２端部１２と同様に、不透明な収容部８７によって隠され、前側からは視認され難い。
第１端面１１ｅから導光体１に入射した光は、第２端部１２に向けて進行する。したがって、第１端面１１ｅから導光体１に入射した光の進行方向、すなわち第１進行方向７１は、図１中第１端部１１から第２端部１２に向けた、導光体１の長手方向に一致するといえる。また、第２端面１２ｅから導光体１に入射した光は、第１端部１１に向けて進行する。したがって、第２端面１２ｅから導光体１に入射した光の進行方向、すなわち第２進行方向７２は、図１中第２端部１２から第１端部１１に向けた導光体１の長手方向に一致するといえる。
【００４３】
光量制御装置８９は、自動車のＥＣＵであり、図略のリード線によって第１光源８１及び第２光源８２に電気的に接続されている。
【００４４】
導光体１の裏面３は、凹凸形状を有しかつ第１端部１１側の領域である第１領域３１と、凹凸形状を有しかつ第２端部１２側の領域である第２領域３２と、を有する。第１領域３１と第２領域３２とは、導光体１における長手方向の中心線を境として対称な形状である。なお、実施例１の照明装置においては導光体１の裏面３のうち収容部８７によって隠される部分、すなわち、導光体１の第１端部１１及び第２端部１２における裏面３に凹凸形状はない。導光体１の裏面３のうち当該凹凸形状のない部分は、第１領域３１にも第２領域３２にも含まれない。
【００４５】
図２に示すように、第１領域３１には、第１端部１１から第２端部１２に向けて、第１反射面３１ａ、第１非反射面３１ｂ、第１反射面３１ａ、第１非反射面３１ｂ…の順で第１反射面３１ａ及び第１非反射面３１ｂが交互に設けられている。また、第２領域３２には、第２端部１２から第１端部１１に向けて、第２反射面３２ａ、第２非反射面３２ｂ、第２反射面３２ａ、第２非反射面３２ｂ…の順で第２反射面３２ａ及び第２非反射面３２ｂが交互に設けられている。
【００４６】
第１反射面３１ａは光の第１進行方向７１に対して交差し、第１非反射面３１ｂもまた光の第１進行方向７１に対して交差する。具体的には、光の第１進行方向７１に対する第１反射面３１ａの交差角θ１Ｒは４５°であり、光の第１進行方向７１に対する第１非反射面３１ｂの交差角θ１Ｎは１２５°である。
一方、第２反射面３２ａは光の第２進行方向７２に対して交差し、第２非反射面３２ｂもまた光の第２進行方向７２に対して交差する。具体的には、光の第２進行方向７２に対する第２反射角の交差角θ２Ｒは４５°であり、光の第２進行方向７２に対する第２非反射面３２ｂの交差角θ２Ｎは１２５°である。
さらに、隣り合う第１反射面３１ａの間隔は１ｍｍであり、隣り合う第１非反射面３１ｂの間隔は１ｍｍであり、隣り合う第２反射面３２ａの間隔は１ｍｍであり、隣り合う第２非反射面３２ｂの間隔は１ｍｍである。当該各面の間隔とは、各面における後側の頂部間の長手方向における距離を意味する。
なお、実施例１の照明装置において、導光体１のうち裏面３に凹凸形状を有する部分の長手方向の長さは４００ｍｍであり、図２中ｔで示す導光体１の厚さ、つまり、長手方向と直交する表面−裏面方向における導光体１の長さは一定値の１０ｍｍである。
【００４７】
図２に示すように、光の第１進行方向７１に対する第１反射面３１ａの交差角θ１Ｒは４５°と充分に小さい角度であるため、導光体１を第１進行方向７１に進んだ光は第１反射面３１ａに反射し、表面２から出射する。また、光の第１進行方向７１に対する第１非反射面３１ｂの交差角θ１Ｎは１２５°と充分に大きい角度であるため、第１非反射面３１ｂは導光体１を第１進行方向７１に進む光に干渉し難く、第１非反射面３１ｂは第１進行方向７１に進む光の反射に関与し難い。このため、第１進行方向７１に進む光の反射方向は、主に第１反射面３１ａによってコントロールされる。
【００４８】
また、実施例１の照明装置において、光の第１進行方向７１に対する第１反射面３１ａの交差角θ１Ｒは、４５°と充分に小さな値である。交差角θ１Ｒをこのように設定することで、第１進行方向７１に進行する光を、第１反射面３１ａによって前側に反射させることができる。
【００４９】
同様に、光の第２進行方向７２に対する第２反射面３２ａの交差角θ２Ｒは、４５°と充分に小さな値であるため、第２進行方向７２に進行する光を第２反射面３２ａによって前側に反射させることができる。
【００５０】
以下、図３を基に、第１光源８１及び第２光源８２の点灯及び消灯の制御について説明する。
【００５１】
光量制御装置８９は、第１光源８１及び第２光源８２に接続され、第１光源８１の点灯及び消灯と、第２光源８２の点灯及び消灯とを各々独立に制御する。制御開始時において、第１光源８１及び第２光源８２は消灯されている。光量制御装置８９は、図３において実線で示すように、先ず第１光源８１を点灯し、当該第１光源８１の出力を徐々に大きくする。点灯後、第１光源８１が出射する光束は徐々に大きくなり、第１光源８１の輝度もまた徐々に大きくなる。
【００５２】
光量制御装置８９は、図３において破線で示すように、第１光源８１の輝度が最大値の５０％になったタイミングで、第２光源８２を点灯し、当該第２光源８２の出力を徐々に大きくする。このとき光量制御装置８９は、第１光源８１の輝度が第２光源８２の輝度よりも大きく、第２光源８２の輝度の上昇速度が第１光源８１の輝度の上昇速度よりも大きく、かつ、第１光源８１の輝度及び第２光源８２の輝度が同時に最大値すなわち１００％に達するよう、第１光源８１及び第２光源８２の出力を調整する。
【００５３】
光量制御装置８９は、第１光源８１の輝度及び第２光源８２の輝度がともに１００％である状態を所定時間維持し、その後、第１光源８１の出力及び第２光源８２の出力を徐々に低下させ、最終的には第１光源８１及び第２光源８２を消灯する。このとき光量制御装置８９は、第２光源８２の輝度が第１光源８１の輝度よりも大きく、第１光源８１の輝度の降下速度が第２光源８２の輝度の降下速度よりも大きく、かつ、第２光源８２の輝度が設定された輝度の最大値の５０％になったタイミングで第１光源８１を消灯するよう、第１光源８１及び第２光源８２の出力を調整する。
【００５４】
第１光源８１及び第２光源８２の出力をこのように制御することで、導光体１の第１部分１５から第２部分１６に向けて光が流れるように見える。
実施例１の照明装置は、以上のように、優れた意匠を表示できる。
【００５５】
（実施例２）
実施例２の照明装置は、導光体１の形状及び角度以外は実施例１と概略同じものである。具体的には、実施例２の照明装置は、自動車のターンランプであり、自動車の進行方向を前側として、右側に設置される。実施例２の照明装置における導光体１は、第１端部１１を第２端部１２よりも後側に位置させる第１傾斜方向に設置される。実施例２の照明装置における導光体１を模式的に表す説明図を図４に示す。
【００５６】
実施例２の照明装置における導光体１は、図４に示すように、傾いて設置される。具体的には、導光体１の表面２は、前後方向に直交する正面方向７３に対し、交差角θ０で交差する。実施例２において、当該交差角θ０は２０°である。
第１進行方向７１に対する第１反射面３１ａの交差角θ１Ｒは、３５°であり、（５０−θ０）°〜（８０−θ０）°、つまり３０°〜６０°の範囲内である。実施例２の照明装置では、導光体１が傾いて設置されていても、第１進行方向７１に進み第１反射面３１ａで反射した光は、導光体１の前側に向けられる。
また、第２進行方向７２に対する第２反射面３２ａの交差角θ２Ｒは、６０°であり、（１０＋θ０）°〜（５０＋θ０）°、つまり３０°〜７０°の範囲内である。実施例２の照明装置では、導光体１が傾いて設置されていても、第２進行方向７２に進み第２反射面３２ａで反射した光は、導光体１の前側に向けられる。
【００５７】
更に、第１進行方向７１に対する第１非反射面３１ｂの交差角θ１Ｎは、１００°であり、８０°〜（１６０−θ０）°、つまり８０°〜１４０°の範囲内である。第２進行方向７２に対する第２非反射面３２ｂの交差角θ２Ｎは、１２０°であり、８０°〜（１２０＋θ０）°、つまり８０°〜１４０°の範囲内である。実施例２の照明装置では、第１非反射面３１ｂは導光体１中を第１進行方向７１に進む光に干渉し難く、第２非反射面３２ｂは導光体１中を第２進行方向７２に進む光に干渉し難い。よって、導光体１中を進む光の大部分は第１反射面３１ａ又は第２反射面３２ａに反射し、表面２を経て導光体１の前側に出射する。よって、実施例２の照明装置もまた、第１反射面３１ａ及び第２反射面３２ａによって出射光の方向を精密にコントロールでき、優れた意匠を表示できる。
【００５８】
（実施例３）
実施例３の照明装置は、導光体１の形状及び配置角度以外は実施例１と概略同じものである。具体的には、実施例３の照明装置は、自動車のターンランプであり、自動車の進行方向を前側として、左側に設置される。実施例３の照明装置における導光体１は、第２端部１２を第１端部１１よりも後側に位置させる第２傾斜方向に設置される。実施例３の照明装置における導光体１を模式的に表す説明図を図５に示す。
【００５９】
実施例３の照明装置における導光体１は、図５に示すように、傾いて設置される。具体的には、導光体１の表面２は、前後方向に直交する正面方向７３に対し、交差角θ０で交差する。実施例３の照明装置において、交差角θ０は２０°である。
第２進行方向７２に対する第２反射面３２ａの交差角θ２Ｒは、３５°であり（５０−θ０）°〜（８０−θ０）°、つまり３０°〜６０°の範囲内である。実施例３の照明装置では、導光体１が傾いて設置されていても、第２進行方向７２に進み第２反射面３２ａで反射した光は、導光体１の前側に向けられる。また、第１進行方向７１に対する第１反射面３１ａの交差角θ１Ｒは、６０°であり（１０＋θ０）°〜（５０＋θ０）°、つまり３０°〜７０°の範囲内である。実施例３の照明装置では、導光体１が傾いて設置されていても、第１進行方向７１に進み第１反射面３１ａで反射した光は、導光体１の前側に向けられる。
【００６０】
更に、第２進行方向７２に対する第２非反射面３２ｂの交差角θ２Ｎは、１００°であり８０°〜（１６０−θ０）°、つまり８０°〜１４０°の範囲内である。かつ、第１進行方向７１に対する第１非反射面３１ｂの交差角θ１Ｎは、１２０°であり８０°〜（１２０＋θ０）°、つまり８０°〜１４０°の範囲内である。第２非反射面３２ｂは導光体１中を第２進行方向７２に進む光に干渉し難く、第１非反射面３１ｂは導光体１中を第１進行方向７１に進む光に干渉し難い。よって、導光体１中を進む光の大部分は第１反射面３１ａ又は第２反射面３２ａに反射し、表面２を経て導光体１の前側に出射する。よって、実施例３の照明装置もまた、第１反射面３１ａ及び第２反射面３２ａによって出射光の方向を精密にコントロールでき、優れた意匠を表示できる。
【００６１】
（実施例４）
実施例４の照明装置は、導光体１の形状以外は実施例１と概略同じものである。実施例４の照明装置における導光体１を模式的に表す説明図を図６及び図７に示す。なお、図７は図６の要部拡大図である。
【００６２】
図６に示すように、実施例４の照明装置における導光体１の厚さは、第１端部１１及び第２端部１２において厚く、中央部１０において薄くなっている。更には、導光体１における中央部１０の厚さは、第１部分１５及び第２部分１６の大部分よりも薄い。図７に示すように、中央部１０における導光体１の厚さｔ３は、第１端部１１における導光体１の厚さｔ１及び第２端部１２における導光体１の厚さｔ２の２／３程度である。
既述したように、導光体１の中央部１０は光量の不足しがちな部分であるが、導光体１の厚さをこのように設定することで、当該中央部１０における光の密度を高めることができ、中央部１０を明るく光らせることができる。したがって、実施例４の照明装置もまた優れた意匠を表示できる。
【００６３】
（その他）
本発明は、上記し且つ図面に示した実施形態にのみ限定されるものではなく、要旨を逸脱しない範囲内で適宜変更して実施できる。また、実施形態に示した各構成要素は、それぞれ任意に抽出し組み合わせて実施できる。
【００６４】
本発明の照明装置は、以下のように表現できる。
〔１〕長手方向の一端部である第１端部１１と、前記長手方向の他端部である第２端部１２と、設置時に前側に配置される表面２と、前記表面２に背向する裏面３と、を有する導光体１と、
前記第１端部１１に光を照射する第１光源８１と、
前記第２端部１２に光を照射する第２光源８２と、
前記第１光源８１及び前記第２光源８２の点灯期間の少なくとも一部において、前記第１光源８１と前記第２光源８２の輝度が異なるよう、前記第１光源８１及び前記第２光源８２の出力を制御する光量制御装置８９と、を有し、
前記表面２は平滑面状をなし、
前記裏面３は、前記第１端部１１側に位置する第１領域３１と、前記第２端部１２側に位置する第２領域３２と、を有し、
前記第１領域３１は、前記第１端部１１から前記第２端部１２に向けた光の第１進行方向７１に対して交差する第１反射面３１ａと、前記第１進行方向７１に対して前記第１反射面３１ａの交差角よりも大きな角度で交差する第１非反射面３１ｂと、が交互に連続する凹凸形状を有し、
前記第２領域３２は、前記第２端部１２から前記第１端部１１に向けた光の第２進行方向７２に対して交差する第２反射面３２ａと、前記第２進行方向７２に対して前記第２反射面３２ａの交差角よりも大きな角度で交差する第２非反射面３２ｂと、が交互に連続する凹凸形状を有し、
更に、以下の要件（１）〜（３）の何れかを満たす、車両用照明装置である。
（１）
前記導光体１の想定設置方向は、前記長手方向を前後方向に直交させる正方向であり、
前記第１進行方向７１に対する前記第１反射面３１ａの交差角θ１Ｒ、及び、前記第２進行方向７２に対する前記第２反射面３２ａの交差角θ２Ｒは、各々３０°〜６０°の範囲内であり、
前記第１進行方向７１に対する前記第１非反射面３１ｂの交差角θ１Ｎ、及び、前記第２進行方向７２に対する前記第２非反射面３２ｂの交差角θ２Ｎは、各々９０°〜１３０°の範囲内である。
（２）
前記導光体１の想定設置方向は、前記第１端部１１を前記第２端部１２よりも後側に位置させる第１傾斜方向であり、
前記表面２は、前後方向に直交する正面方向７３に対し、交差角θ０で交差し、
前記第１進行方向７１に対する前記第１反射面３１ａの交差角θ１Ｒは（５０−θ０）°〜（８０−θ０）°の範囲内、
前記第２進行方向７２に対する前記第２反射面３２ａの交差角θ２Ｒは（１０＋θ０）°〜（５０＋θ０）°の範囲内、
前記第１進行方向７１に対する前記第１非反射面３１ｂの交差角θ１Ｎは８０°〜（１６０−θ０）°の範囲内、及び、
前記第２進行方向７２に対する前記第２非反射面３２ｂの交差角θ２Ｎは８０°〜（１２０＋θ０）°の範囲内である。
（３）
前記導光体１の想定設置方向は、前記第２端部１２を前記第１端部１１よりも後側に位置させる第２傾斜方向であり、
前記表面２は、前後方向に直交する正面方向７３に対し、交差角θ０で交差し、
前記第２進行方向７２に対する前記第２反射面３２ａの交差角θ２Ｒは（５０−θ０）°〜（８０−θ０）°の範囲内、
前記第１進行方向７１に対する前記第１反射面３１ａの交差角θ１Ｒは（１０＋θ０）°〜（５０＋θ０）°の範囲内、
前記第２進行方向７２に対する前記第２非反射面３２ｂの交差角θ２Ｎは８０°〜（１６０−θ０）°の範囲内、及び、
前記第１進行方向７１に対する前記第１非反射面３１ｂの交差角θ１Ｎは８０°〜（１２０＋θ０）°の範囲内である。
〔２〕前記導光体１の厚さは、前記長手方向の中央部１０において、前記第１端部１１側及び前記第２端部１２側の部分よりも薄い、〔１〕に記載の照明装置。
〔３〕前記要件（１）において、
前記交差角θ１Ｒ及び前記交差角θ２Ｒは各々４０°〜５０°の範囲内であり、
前記交差角θ１Ｎ及び前記交差角θ２Ｎは各々９０°〜１３０°の範囲内である、〔１〕又は〔２〕に記載の照明装置。
〔４〕前記要件（２）において、
前記交差角θ１Ｒは５°〜４０°の範囲内、
前記交差角θ２Ｒは５０°〜９０°の範囲内、
前記交差角θ１Ｎは８０°〜１２０°の範囲内、及び、
前記交差角θ２Ｎは１１０°〜１７０°の範囲内である、〔１〕又は〔２〕に記載の照明装置。
〔５〕前記要件（３）において、
前記交差角θ２Ｒは５°〜４０°の範囲内、
前記交差角θ１Ｒは５０°〜９０°の範囲内、
前記交差角θ２Ｎは８０°〜１２０°の範囲内、及び、
前記交差角θ１Ｎは１１０°〜１７０°の範囲内である〔１〕又は〔２〕に記載の照明装置。
【符号の説明】
【００６５】
１：導光体                        ２：表面
３：裏面                          １１：第１端部
１２：第２端部                    ３１：第１領域
３１ａ：第１反射面                ３１ｂ：第１非反射面
３２：第２領域                    ３２ａ：第２反射面
３２ｂ：第２非反射面              ７１：光の第１進行方向
７２：光の第２進行方向            ７３：正面方向
８１：第１光源                    ８２：第２光源
８９：光量制御装置
θ１Ｒ：第１進行方向に対する第１反射面の交差角
θ２Ｒ：第２進行方向に対する第２反射面の交差角
θ１Ｎ：第１進行方向に対する第１非反射面の交差角
θ２Ｎ：第２進行方向に対する第２非反射面の交差角
θ０：表面の正面方向に対する交差角
【図１】
2019179685.tif 000003
【図２】
2019179685.tif 000004
【図３】
2019179685.tif 000005
【図４】
2019179685.tif 000006
【図５】
2019179685.tif 000007
【図６】
2019179685.tif 000008
【図７】
2019179685.tif 000009